(57)【要約】【課題】  携帯電話用イヤホン−マイクロホンセットを他のステレオシステムに接続することが可能なアダプタを提供する【解決手段】  アダプタを介することで携帯電話用ステレオイヤホン−マイクロホンセットが他のステレオオーディオシステムにおいても使用可能となるような、携帯電話用ステレオイヤホン−マイクロホンセットをステレオオーディオシステムに接続するためのアダプタを提供する。ステレオオーディオシステムは、コンピュータのマルチメディア機器もしくはポータブル音楽システムを含んでいる。アダプタにより、既存の携帯電話用ステレオイヤホン−マイクロホンの用途の範囲が拡大する。【選択図】      図３
2005057715.tif 000002
【特許請求の範囲】
【請求項１】
携帯電話用イヤホン−マイクロホンセットをイヤプラグソケットとマイクロホンソケットとを有するステレオオーディオシステムに接続するためのアダプタにおいて、前記携帯電話用イヤホン−マイクロホンセットは、左チャンネルイヤプラグと、右チャンネルイヤプラグと、マイクロホンと、第１のヘッドコネクタとを備え、前記第１のヘッドコネクタは第１の電極と、第２の電極と、第３の電極と、第４の電極とを有する４電極端子であり、前記マイクロホンの第１の端子は前記第１のヘッドコネクタの第１の電極に接続され、前記マイクロホンの第２の端子は前記第１のヘッドコネクタの第４の電極に接続され、前記左チャンネルイヤプラグの第１の端子は前記第１のヘッドコネクタの第２の電極に接続され、前記左チャンネルイヤプラグの第２の端子は前記第１のヘッドコネクタの第４の電極に接続され、前記右チャンネルイヤプラグの第１の端子は前記第１のヘッドコネクタの第３の電極に接続され、前記右チャンネルイヤプラグの第２の端子は前記第１のヘッドコネクタの第４の電極に接続され、前記アダプタは、
前記ステレオオーディオシステムのマイクロホンソケットに接続するための第１の電極と第２の電極とを有する端子である第２のヘッドコネクタと、
前記ステレオオーディオシステムのイヤプラグソケットに接続するための第１の電極と、第２の電極と、第３の電極とを有する端子である第３のヘッドコネクタと、
前記第２のヘッドコネクタの第１の電極に接続された第１の接続端子と、前記第３のヘッドコネクタの第１の電極に接続された第２の接続端子と、前記第３のヘッドコネクタの第２の電極に接続された第３の接続端子と、前記第２のヘッドコネクタの第２の電極と前記第３のヘッドコネクタの第３の電極とに接続された第４の接続端子とを有するソケットとを備え、
前記ソケットは、前記第１のヘッドコネクタが前記ソケットに差し込まれた時に、前記ソケットの第１の接続端子と、第２の接続端子と、第３の接続端子と、第４の接続端子とが前記第１のヘッドコネクタの第１の電極と、第２の電極と、第３の電極と、第４の電極とにそれぞれ接続するように前記第１のヘッドコネクタに接続する手段であることを特徴とするアダプタ。
【請求項２】
請求項１に記載のアダプタにおいて、前記ステレオオーディオシステムはコンピュータマルチメディアシステムを含むことを特徴とするアダプタ。
【請求項３】
請求項１に記載のアダプタにおいて、前記ステレオオーディオシステムはステレオハイファイシステムを含むことを特徴とするアダプタ。
【請求項４】
請求項３に記載のアダプタにおいて、前記ステレオオーディオシステムはポータブル音楽システムを含むことを特徴とするアダプタ。
【請求項５】
請求項１に記載のアダプタにおいて、前記ソケットは、前記第１のヘッドコネクタが差し込まれるソケットホールを有し、前記ソケットホールはおよそ２．５ｍｍの直径を有することを特徴とするアダプタ。
【請求項６】
請求項１に記載のアダプタにおいて、前記第２のヘッドコネクタと前記第３のヘッドコネクタとは、およそ３．５ｍｍの直径を有することを特徴とするアダプタ。
【請求項７】
携帯電話用イヤホン−マイクロホンセットをイヤプラグソケットを有するステレオオーディオシステムに接続するためのアダプタにおいて、前記携帯電話用イヤホン−マイクロホンセットは、左チャンネルイヤプラグと、右チャンネルイヤプラグと、マイクロホンと、第１のヘッドコネクタとを備え、前記第１のヘッドコネクタは第１の電極と、第２の電極と、第３の電極と、第４の電極とを有し、前記マイクロホンの第１および第２の端子は前記第１のヘッドコネクタの第１および第４の電極に接続され、前記左チャンネルイヤプラグの第１および第２の端子は前記第１のヘッドコネクタの第２および第４の電極に接続され、前記右チャンネルイヤプラグの第１および第２の端子は前記第１のヘッドコネクタの第３および第４の電極に接続され、前記アダプタは、
第１の電極と第２の電極とを有するマイクロホンヘッドコネクタと、
前記ステレオオーディオシステムのイヤプラグソケットに接続するための第１の電極と、第２の電極と、第３の電極とを有するイヤプラグヘッドコネクタと、
前記マイクロホンヘッドコネクタの第１の電極に接続された第１の接続端子と、前記イヤプラグヘッドコネクタの第１の電極に接続された第２の接続端子と、前記イヤプラグヘッドコネクタの第２の電極に接続された第３の接続端子と、前記マイクロホンヘッドコネクタの第２の電極と前記イヤプラグヘッドコネクタの第３の電極とに接続された第４の接続端子とを有する第２のコネクタとを備え、
前記第２のヘッドコネクタは、前記第１のヘッドコネクタが前記ソケットに差し込まれた時に、前記第２のヘッドコネクタの第１の接続端子と、第２の接続端子と、第３の接続端子と、第４の接続端子とが前記第１のヘッドコネクタの第１の電極と、第２の電極と、第３の電極と、第４の電極とにそれぞれ接続するように前記第１のヘッドコネクタに接続する手段であることを特徴とするアダプタ。
【請求項８】
請求項７に記載のアダプタにおいて、前記ステレオオーディオシステムは、前記マイクロホンヘッドコネクタが差し込まれるマイクロホンソケットをさらに備えることを特徴とするアダプタ。
【請求項９】
請求項７に記載のアダプタにおいて、前記ステレオオーディオシステムは、コンピュータマルチメディアシステムを含むことを特徴とするアダプタ。
【請求項１０】
請求項７に記載のアダプタにおいて、前記ステレオオーディオシステムはステレオハイファイシステムを含むことを特徴とするアダプタ。
【請求項１１】
請求項１０に記載のアダプタにおいて、前記ステレオオーディオシステムはポータブル音楽システムを含むことを特徴とするアダプタ。
【発明の詳細な説明】
【技術分野】
【０００１】
本発明はアダプタに関する。特に、本発明は、携帯電話用ステレオイヤホン−マイクロホンセットをステレオシステムに接続するためのアダプタに関する。
【背景技術】
【０００２】
無線技術および半導体技術の大幅な進歩に伴って、携帯電話はますます軽量化し、機能的にも向上している。今日では、携帯電話は毎日の生活の中で人との通信に欠かせないツールとなっている。以前は、ほとんどのハンズフリーイヤホンセット（携帯電話用イヤホン−マイクロホンセット）は主に通信の手段としてのみ用いられていた。しかしながら、マーケティング機会を拡大するために、多くの製造者が携帯電話に付加的な機能を積極的に組み込んでいる。すなわち、携帯電話はもはや単なる通信手段としてのみ用いられているわけではなくなっている。
【０００３】
近年、製造者においてはＦＭラジオ、ＭＰ３、さらにはビデオ−オーディオプレイヤーを携帯電話に組み込むことに成功している。このような新型の製品に適合するように、単一チャンネルのハンズフリーイヤホンが別々の右チャンネルおよび左チャンネルを有するステレオイヤホンに取り替えられている。したがって、会話の合間にユーザーがＦＭラジオ、ＭＰ３、もしくはビデオ−オーディオプレイヤーを選択して聞くことが可能となっている。
【０００４】
当然、音楽プログラム機能が組み込まれた携帯電話は通常のものよりも高価である。さらに、ハンズフリーイヤホンセットも、ユーザーの要望に合うようにステレオヘッドホンが非常に高音質でなくてはならないため、より高価である。
【発明の開示】
【発明が解決しようとする課題】
【０００５】
しかしながら、その高音質ステレオイヤホン−マイクロホンセットがつなげられるのは携帯電話のみである。携帯電話用イヤホン−マイクロホンセットは、他のステレオハイファイシステム（例えば、携帯電話、ベッドサイドオーディオシステム、および無線放送ラジオ、ＣＤ，ＭＰ３、ＭＤを含むモバイルオーディオシステム）もしくはパソコンのマルチメディア機器（サウンドカードのソケットを含む）に直接接続するように設計されていない。現在、携帯電話用ステレオイヤホン−マイクロホンをステレオシステムに接続するアダプタさえも市場に出回っていない。
【０００６】
音楽機能を有する携帯電話を所有するユーザーにとっては、ステレオイヤホン−マイクロホンセットの用途を携帯電話のみに限定してしまうことは無駄である。とりわけ、そのステレオイヤホン−マイクロホンセットが、パーソナル電子機器のマルチメディア機器もしくはその他のステレオシステムにつなげるように設計されていない場合、大きな資源の無駄と思われる。さらに、ユーザーがパソコンのマルチメディア機器もしくはその他のステレオシステムにつなげるために別のイヤホン−マイクロホンセットを購入した場合には、そのユーザーは２つのイヤホン−マイクロホンセットを一緒に持ち歩かなくてはならなくなる。
【０００７】
そこで本発明の目的の１つは、携帯電話の携帯電話用イヤホン−マイクロホンセットをコンピュータのマルチメディア機器あるいは別のステレオオーディオ機器などの他のステレオシステムに接続することが可能なアダプタを提供することである。
【課題を解決するための手段】
【０００８】
これらの目的とその他の利点とを達成するため、さらに本発明の目的に従ってここで実施され明確に説明されるように、本発明は携帯電話用イヤホン−マイクロホンセットをステレオシステムに接続するためのアダプタを提供する。該ステレオシステムは、イヤホンソケットとマイクロホンソケットとを有している。該携帯電話用イヤホン−マイクロホンセットは、左チャンネルイヤプラグと、右チャンネルイヤプラグと、マイクロホンと、第１のコネクタとを備えている。第１のコネクタは、第１の電極、第２の電極、第３の電極、第４の電極の４つを有する４電極端子である。マイクロホンの端子の１つは、第１のコネクタの第１の電極に接続されており、マイクロホンの第２の端子は第１のコネクタの第４の電極に接続されている。左チャンネルイヤプラグの端子の１つは、第１のコネクタの第２の電極に接続されており、左チャンネルイヤプラグの第２の端子は第１のコネクタの第４の電極に接続されている。右チャンネルイヤプラグの端子の１つは、第１のコネクタの第３の電極に接続されており、左チャンネルイヤプラグの第２の端子は第１のコネクタの第４の電極に接続されている。
【０００９】
携帯電話用イヤホン−マイクロホンセットのアダプタは、第２のコネクタと、第３のコネクタと、ソケットとを備えている。第２のコネクタは、ステレオシステムのマイクロホンソケットに接続するための第１の電極と第２の電極とを有する２電極端子である。第３のコネクタは、ステレオシステムのイヤホンソケットに接続するための第１の電極と、第２の電極と、第３の電極とを有する３電極端子である。ソケットは、第１の接続端子と、第２の接続端子と、第３の接続端子と、第４の接続端子とを有している。第１の接続端子は第２のコネクタの第１の電極に接続され、第２の接続端子は第３のコネクタの第１の電極に接続され、第３の接続端子は第３のコネクタの第２の電極に接続され、第４の接続端子は第２のコネクタの第２の電極と第３のコネクタの第３の電極とに接続されている。ソケットは第１のコネクタを接続するのに用いられる。第１のコネクタがソケットに差し込まれている場合、ソケットの第１の接続端子と、第２の接続端子と、第３の接続端子と、第４の接続端子とは、第１のコネクタの第１の電極と、第２の電極と、第３の電極と、第４の電極とにそれぞれ接続されている。
【００１０】
上述の概略の説明と以下の詳細な説明とは例示的なものであり、特許請求の範囲記載の発明のさらなる説明のために提供されたものであることは当然のことである。
【００１１】
添付の図面は本発明のさらなる理解をもたらすために示され、さらに、本明細書に包含され、またその一部を構成している。該図面は本発明の実施形態を表しており、説明と共に、本発明の特性を明確にするために用いられる。
【発明を実施するための最良の形態】
【００１２】
ここで、添付の図面に例示された本発明の好適な実施形態の詳細な説明を行う。図面もしくは説明においては、同一もしくは同様の部分を参照する場合、可能な限り同一の参照番号を用いる。
【００１３】
現在市場に出回っている携帯電話用ステレオイヤホン−マイクロホンセットを入念に調査した結果、ほとんどのイヤホン−マイクロホンセットは、携帯電話に接続するためのコネクタ（例えば、接続ヘッドもしくは接続ポート）を１つしか有していないということが明らかとなった。したがって、通常、コネクタは接地用電極、マイクロホンに接続する電極、左チャンネルイヤプラグに接続する電極、および右チャンネルイヤプラグに接続する電極の４つの電極を有している。
【００１４】
一般に、コンピュータのマルチメディア機器もしくはステレオオーディオ機器はイヤホンソケットとマイクロホンソケットとを別々に有している。一方で、ほとんどのイヤプラグオーディオシステムはイヤプラグソケットを有しているがマイクロホンソケットは有していない。すなわち、ほとんどのマルチメディア機器およびステレオオーディオ機器のためのイヤホン−マイクロホンセットは、マイクロホンソケットにつなぐものと、イヤプラグソケットにつなぐものとの２つのヘッドコネクタを有していなければならない。前者は接地とマイクロホンとに接続する２つの電極端子を有するヘッドコネクタであり、後者は接地と、左および右チャンネルイヤホンとに接続する３つの電極端子を有するヘッドコネクタである。イヤプラグオーディオシステム用のイヤホンヘッドコネクタも接地と、左および右チャンネルイヤホンとに接続する３つの電極端子を有している。イヤホン−マイクロホンセットを用いてイヤプラグオーディオシステム（イヤホンソケットを１つ有するがマイクロホンソケットを有していない）に連結する場合は、イヤホンヘッドコネクタのみが有効となり、マイクロホンヘッドコネクタはダミー状態となる。
【００１５】
携帯電話用ステレオイヤホン−マイクロホンセットのヘッドコネクタおよび電極の数は、コンピュータマルチメディア機器、ステレオオーディオ機器もしくはほとんどのイヤプラグオーディオシステムにおいて求められているヘッドコネクタおよび電極の数とは異なっている。したがって、携帯電話用ステレオイヤホン−マイクロホンセットのヘッドコネクタをコンピュータマルチメディア機器、ステレオオーディオ機器もしくはイヤプラグオーディオシステムに直接差し込むことはできない。
【００１６】
図１は、従来の携帯電話用ステレオイヤホン−マイクロホンセットを示す斜視図である。携帯電話用ステレオイヤホン−マイクロホンヘッドセット１００は、携帯電話（図示せず）に接続するための直径およそ２．５ｍｍの第1のコネクタ１１０（第1のヘッドコネクタ）を有している。イヤホン−マイクロホンヘッドセット１００は、マイクロホン１０６に加えて、ステレオ音声を出力するための左チャンネルイヤプラグ１０２と右チャンネルイヤプラグ１０４とを含んでいる。したがって、第1のコネクタ１１０は、第1の電極１１１、第２の電極１１２、第３の電極１１３および第４の電極１１４の４つの電極を有している。例えば、第1のコネクタ１１０は４電極ヘッドコネクタもしくは４電極接続ポートである。第４の電極１１４は接地接続となる。電極１１１、１１２および１１３は、マイクロホン１０６、左チャンネルイヤプラグ１０２および右チャンネルイヤプラグ１０４にそれぞれ接続される。
【００１７】
図２は、図１に示した携帯電話用イヤホン−マイクロホンセットにおける電気接続を示した図である。ヘッドコネクタを例として用いると、第１のコネクタ１１０（第１のヘッドコネクタ）は第1の電極１１１、第２の電極１１２、第３の電極１１３および第４の電極１１４の４つの電極を有している。マイクロホン１０６の第１の端子はヘッドコネクタ１１０の第１の電極１１１に接続されており、マイクロホン１０６の第２の端子はヘッドコネクタ１１０の第４の電極１１４に接続されている。左チャンネルイヤプラグ１０２の第１および第２の端子は、ヘッドコネクタ１１０の第２の電極１１２および第４の電極１１４にそれぞれ接続されている。同様に、右チャンネルイヤプラグ１０４の第１および第２の端子は、ヘッドコネクタ１１０の第３の電極１１３および第４の電極１１４にそれぞれ接続されている。第４の電極１１４は接地接続されている。
【００１８】
図３は本発明の好適な実施形態による携帯電話用イヤホン−マイクロホンセットのためのアダプタを示す斜視図である。携帯電話用イヤホン−マイクロホンセット１００をステレオオーディオシステム３００（図５参照）に接続するためのアダプタ２００が提供される。アダプタ２００は、第２のコネクタ２１０と、マイクロホンヘッドコネクタ２２０（第２のヘッドコネクタ）と、イヤホンヘッドコネクタ２３０(第３のヘッドコネクタ)とを備えている。マクロホンヘッドコネクタ２２０およびイヤホンヘッドコネクタ２３０は、例えば、およそ３．５ｍｍの直径を有している。マイクロホンヘッドコネクタ２２０は、ステレオオーディオシステム３００のマイクロホンソケット(図示せず)に接続するための第１の電極２２１および第２の電極２２２の２つの電極端子を有している。イヤホンヘッドコネクタ２３０は、イヤプラグソケット３０２(図５参照)に接続するための第１の電極２３１と、第２の電極２３２と、第３の電極２３３との３つの電極端子を有している。
【００１９】
第２のコネクタ２１０は、第１のコネクタ１１０と接続するのに用いられる。例えば、第２のコネクタ２１０は、第１のコネクタ１１０（第１のヘッドコネクタ）を受けるためのホール２０１を有するソケットの形状とすることができる。ソケットホール２０１は、例えば、およそ２．５ｍｍの直径を有している。第２のコネクタ(ソケット)２１０は、ヘッドコネクタ１１０内部の４つの電極接触部と接続するための４つの接続端子を有している。したがって、左チャンネルイヤプラグ１０２、右チャンネルイヤプラグ１０４およびマイクロホン１０６が、ソケット２１０を通して他のステレオオーディオシステム３００に（図５に示すように）接続される。ソケット２１０は、第１の接続端子２１１と、第２の接続端子２１２と、第３の接続端子２１３と、第４の接続端子２１４とを有している。
【００２０】
図４は、図３に示したアダプタの電気接続を示した図である。第１の接続端子２１１はマイクロホンヘッドコネクタ（第２のヘッドコネクタ）２２０の第１の電極２２１に接続されている。第２の接続端子２１２はイヤプラグヘッドコネクタ（第３のヘッドコネクタ）２３０の第１の電極２３１に接続されている。第４の接続端子２１４はマイクロホンヘッドコネクタ２２０の第２の電極２２２とイヤプラグヘッドコネクタ２３０の第３の電極２３３とに接続されている。
【００２１】
図５は、従来の携帯電話用イヤホン−マイクロホンセット１００が、本発明のアダプタ２００を用いてステレオオーディオ機器（ポータブルオーディオシステム）３００に接続されている状態を示す斜視図である。携帯電話用イヤホン−マイクロホンセットの第１のコネクタ（第１のヘッドコネクタ）１１０が、アダプタ２００の第２のコネクタ(ソケット)２１０に接続されている。したがって、第２のコネクタ(ソケット)２１０の第１の接続端子２１１と、第２の接続端子２１２と、第３の接続端子２１３と、第４の接続端子２１４とが、第１のコネクタ（第１のヘッドコネクタ）１１０の第１の電極１１１と、第２の電極１１２と、第３の電極１１３と、第４の電極１１４とにそれぞれ接続している。その後、イヤプラグヘッドコネクタ(第３のヘッドコネクタ)２３０が、ステレオオーディオシステム３００のイヤプラグソケットホール３０２に差し込まれる。
【００２２】
図５においてはポータブルオーディオシステムを例示しているが、他のタイプのステレオオーディオシステム３００であってもよい。例えば、ステレオオーディオシステム３００は、コンピュータのマルチメディア機器もしくはその他のステレオ音声システム（例えば、ベッドサイドの音声システム、持ち運び可能なすなわちポータブルなオーディオ機器）であってもよい。コンピュータのマルチメディア機器（図示せず）に接続するには、アダプタ２００のマイクロホンヘッドコネクタとイヤプラグヘッドコネクタとをサウンドカードのイヤプラグソケットとマイクロホンソケットとに差し込む。もちろん、ステレオオーディオシステム３００がマイクロホンソケット(図示せず)とイヤプラグソケット３０２との両方を有している場合には、要求に応じて、アダプタ２００のヘッドコネクタをマイクロホンソケットとイヤプラグソケット３０２とに差し込むことも可能である。例えば、音楽を聴くことだけが必要な場合には、イヤプラグヘッドコネクタのみがステレオオーディオシステム３００のイヤプラグソケット３０２に差し込まれる。一方で、録音が必要な場合には、マイクロホンヘッドコネクタもマイクロホンソケットに差し込まれる。図５に示すように、イヤプラグヘッドコネクタ２３０のみがイヤプラグソケット３０２に差し込まれている場合には、マイクロホンヘッドコネクタ２２０は受動のダミー状態となる。
【００２３】
本発明においては、アダプタ２００は、携帯電話用ステレオイヤホン−マイクロホンセットの４電極の第１のコネクタ(第１のヘッドコネクタ)１１０から、２電極のマイクロホンヘッドコネクタ（第２のヘッドコネクタ）２２０と３電極のイヤプラグヘッドコネクタ（第３のヘッドコネクタ）２３０とを供給するための手段である。したがって、携帯電話用ステレオイヤホン−マイクロホンセットを他のステレオオーディオシステムにおいて用いることが可能となる。
【００２４】
本発明の一実施形態によると、アダプタの第１のコネクタは、ほとんどの携帯電話用イヤホン−マイクロホンセットのヘッドコネクタの仕様に合うように、直径およそ２．５ｍｍのホールを有するソケットとなっている。しかしながら、ソケットのホールの直径を２．５ｍｍに限定する必要はない。さらに、ほとんどのマルチメディア機器およびステレオオーディオシステムのソケット（３．５ｍｍもしくは６ｍｍの直径を有す）の直径に合うように、アダプタの第２および第３のヘッドコネクタの直径は３．５ｍｍであることが好ましい。
【００２５】
要するに、本発明によるアダプタによって、従来の携帯電話用ステレオイヤホン−マイクロホンセットを携帯電話以外の他のステレオオーディオシステムに接続する手段が提供される。同じ携帯電話用イヤホン−マイクロホンセットを他のステレオシステムに連結することができるため、資源を無駄にすることがない。
【００２６】
本発明の範囲もしくは精神の範囲を逸脱することなく、本発明の構造に様々な修正および変更を行うことが可能であるということは、当該分野の当業者には明らかなことである。上記を考慮すると、本発明は、以下の請求項とその同等物との範囲内であれば、その発明の修正および変更にまで及んでいる。
【図面の簡単な説明】
【００２７】
【図１】従来の携帯電話用イヤホン−マイクロホンセットを示す斜視図である。
【図２】図１に示した携帯電話用イヤホン−マイクロホンセットの電気接続を示す図である。
【図３】本発明の好適な実施形態における携帯電話用イヤホン−マイクロホンセットのためのアダプタを示す斜視図である。
【図４】図３に示したアダプタの電気接続を示す図である。
【図５】従来の携帯電話用イヤホン−マイクロホンセットが、本発明のアダプタを用いてステレオオーディオ機器に接続されている状態を示す斜視図である。
【符号の説明】
【００２８】
１００  ステレオイヤホン−マイクロホンヘッドセット
１０２  左チャンネルイヤプラグ
１０４  右チャンネルイヤプラグ
１０６  マイクロホン
１１０  コネクタ（第1のヘッドコネクタ）
１１１  第1の電極
１１２  第２の電極
１１３  第３の電極
１１４  第４の電極
２００  アダプタ
２０１  ソケットホール
２１０  第２のコネクタ（ソケット）
２１１  第１の接続端子
２１２  第２の接続端子
２１３  第３の接続端子
２１４  第４の接続端子
２２０  マイクロホンヘッドコネクタ（第２のヘッドコネクタ）
２２１  第１の電極
２２２  第２の電極
２３０  イヤホンヘッドコネクタ（第３のヘッドコネクタ）
２３１  第１の電極
２３２  第２の電極
２３３  第３の電極
３００  ステレオオーディオシステム
３０２  イヤプラグソケットホール
【図１】
2005057715.tif 000003
【図２】
2005057715.tif 000004
【図３】
2005057715.tif 000005
【図４】
2005057715.tif 000006
【図５】
2005057715.tif 000007